(57)【特許請求の範囲】
【請求項１】
デジタルビデオ信号が所定画素のブロック単位に分割されて量子化され傾斜アジマス記録方式により記録された記録媒体を再生するデジタルビデオ信号の再生方法であって、
変速再生時に、ヘッド数をｎ、１又は２である定数をａ、１フレームデータが記録されたトラック数をｔ、０以外の整数である定数をｍとして、
Ｓ＝ａ（ｔ・ｍ±１）／ｎ
なる変速再生速度Ｓに設定して変速再生することを特徴とするデジタルビデオ信号の再生方法。
【請求項２】
上記変速再生速度Ｓで読み取られたデジタルビデオ信号に対応した画面上の位置に上記デジタルビデオ信号を割り付けて画像表示することを特徴とする請求項１記載のデジタルビデオ信号の再生方法。
【請求項３】
１フレームデータのデジタルビデオ信号が所定画素のブロック単位に分割されて量子化されトラック数ｔで傾斜アジマス記録方式により記録された記録媒体からヘッド数ｎの回転ヘッドにより上記デジタルビデオ信号を読取り、読み取られた上記デジタルビデオ信号に基いた画像を画面表示処理手段により画面に表示するデジタルビデオ信号の再生装置であって、
変速再生時に、１又は２である定数をａ、０以外の整数である定数をｍとして、
Ｓ＝ａ（ｔ・ｍ±１）／ｎ
なる変速再生速度Ｓに設定して変速再生する駆動制御手段を有することを特徴とするデジタルビデオ信号の再生装置。
【請求項４】
上記画面表示処理手段は、上記変速再生速度Ｓで読み取られたデジタルビデオ信号に対応した画面上の位置に上記デジタルビデオ信号を割り付けて画像表示することを特徴とする請求項３記載のデジタルビデオ信号の再生装置。
【発明の詳細な説明】
【０００１】
【産業上の利用分野】
本発明は、傾斜アジマス記録方式でデジタルビデオ信号が記録された記録媒体を再生するデジタルビデオ信号の再生方法及び再生装置に関するものであり、特に、変速再生時のデジタルビデオ信号の再生方法及び再生装置に関するものである。
【０００２】
【従来の技術】
近年においては、例えば、高精細アナログ画像信号、或は、高精細デジタル画像信号に、所謂離散余弦変換（以下、ＤＣＴ：Ｄｉｓｃｒｅｔｅ  ＣｏｓｉｎｅＴｒａｎｓｆｏｒｍ  変換と言う。）等の高能率符号化方式を用いて圧縮符号化を行い、その符号化データを回転ヘッドにより磁気テープ（以下、ビデオテープと言う。）に記録再生するデジタルビデオテープレコーダ（以下、デジタルＶＴＲと言う。）の開発が進められている。
【０００３】
上記デジタルＶＴＲには、例えば、互いに隣接するトラックを記録再生する２つのヘッドで相対的にギャップの方向を傾けて記録再生する方式、所謂傾斜アジマス記録方式が適用されている。そして、上記デジタルＶＴＲにより、符号化されたデータの１フレーム分のデータがビデオテープ上の複数のトラックにまたがって記録再生される。
【０００４】
上述のような傾斜アジマス記録方式のデジタルＶＴＲでは、あるトラックを繰り返し再生する場合、ギャップの方向の傾き（以下、アジマスと言う。）角度の一致したヘッドのみから出力が得られる。即ち、上記アジマス角度の一致しないヘッドからは出力が得られないために、テープ送りを停止させる位置を制御することにより２つのヘッドが各々アジマス角度の一致したトラック上をトレースするようにして、２つのフィールドの信号を交互に再生できるようにする。
【０００５】
また、上記２つのヘッド（以下、第１，第２のヘッドと言う。）の近辺に、各々本来のヘッドとは逆のアジマス角度を有する第３，第４のヘッドを付加して、上記第１，第２のヘッドではアジマス角度が一致しないトラックをトレースする際は、上記第３，第４のヘッドを再生に使用することにより、常に安定した再生出力を得るようにしたデジタルＶＴＲもある。
【０００６】
例えば、上述のようなデジタルＶＴＲにおいて変速再生を行う場合、ヘッドをパターン上に順次走行させて、ビデオテープに記録されているトラックのデータを再生する通常再生に対して、ヘッドをパターン上に斜めに走行させて、ビデオテープに記録されているトラックのデータを再生する。
【０００７】
即ち、変速再生時には、時間対テープの移動量を、通常再生時は１対１であるのに対して、例えば、３倍速再生時の場合には１対３、１／３スロー再生時の場合には３対１となるようにして再生する。
【０００８】
具体的に、変速再生時のヘッド走行と再生されるデータについて説明すると、例えば、ダブルアジマスヘッド２ペア（以下、Ａヘッド，Ｂヘッドと言う。）のヘッドを使用して、図２０に示すように、１フレーム分のデータがトラックＡ１，Ｂ１，Ａ２，Ｂ２，Ａ３，Ｂ３，・・・，Ａ１０，Ｂ１０の２０トラックにまたがって記録されているビデオテープを３倍速の変速再生する場合、第１フレームＦ１において、ＡヘッドがトラックＡ１からトラックＡ２へ、ＢヘッドがトラックＢ１からトラックＢ２へと横切ると、Ａヘッドのアジマス角度と一致したトラックＡ１、及び、トラックＡ２の領域ＤＡ１、及び、領域ＤＡ２のデータが再生され、また、Ｂヘッドのアジマス角度と一致したトラックＢ１、及び、トラックＢ２の領域ＤＢ１、及び、領域ＤＢ２のデータが再生される。
【０００９】
第２フレームＦ２、第３フレームＦ３についても、上記第１フレームＦ１と同様にしてトレースし、上記第１，第２，第３フレームＦ１，Ｆ２，Ｆ３をトータルで２０トレースすることで１フレーム分のデータが得られる。
【００１０】
【発明が解決しようとする課題】
ここで、上述のようにして変速再生して生成された１フレームの変速再生画は、図２１に示すように、上記図２０に示した第１フレームＦ１から拾われるデータＤＦ１と、第２フレームＦ２から拾われるデータＤＦ２、及び、第３フレームＦ３から拾われるデータＤＦ３との寄せ集め画となる。即ち、画面分割された多数の異なるフレームのデータから１画面が構成される。
【００１１】
このため、その画面分割された多数の異なるフレームのデータの混在状況によっては、著しく見にくい画像となってしまっていた。即ち、隣接するマクロブロックを時間的に近いフレームのデータで構成することができなかったため、変速再生時の画面には、隣接するマクロブロックの時間的な差による境界線が多数現れてしまい不自然なものとなってしまっていた。
【００１２】
そこで、本発明は、上述の如き従来の実情に鑑みてなされたものであり、次のような目的を有するものである。
【００１３】
即ち、本発明の目的は、変速再生時において、隣接するマクロブロックの時間的な差による不連続線を目立たせなくすることにより変速再生画質の向上を図ることができるデジタルビデオ信号の再生方法及び再生装置を提供することにある。
【００１４】
【課題を解決するための手段】
上述の課題を解決するために、本発明は、デジタルビデオ信号が所定画素のブロック単位に分割されて量子化され傾斜アジマス記録方式により記録された記録媒体を再生するデジタルビデオ信号の再生方法であって、変速再生時に、ヘッド数をｎ、１又は２である定数をａ、１フレームデータが記録されたトラック数をｔ、０以外の整数である定数をｍとして、
Ｓ＝ａ（ｔ・ｍ±１）／ｎ
なる変速再生速度Ｓに設定して変速再生することを特徴とする。
【００１５】
また、本発明に係るデジタルビデオ信号の再生方法は、上記変速再生速度Ｓで読み取られたデジタルビデオ信号に対応した画面上の位置に上記デジタルビデオ信号を割り付けて画像表示することを特徴とする。
【００１６】
本発明は、１フレームデータのデジタルビデオ信号が所定画素のブロック単位に分割されて量子化されトラック数ｔで傾斜アジマス記録方式により記録された記録媒体からヘッド数ｎの回転ヘッドにより上記デジタルビデオ信号を読取り、読み取られた上記デジタルビデオ信号に基いた画像を画面表示処理手段により画面に表示するデジタルビデオ信号の再生装置であって、変速再生時に、１又は２である定数をａ、０以外の整数である定数をｍとして、
Ｓ＝ａ（ｔ・ｍ±１）／ｎ
なる変速再生速度Ｓに設定して変速再生する駆動制御手段を有することを特徴とする。
【００１７】
また、本発明に係るデジタルビデオ信号の再生装置は、上記画面表示処理手段は、上記変速再生速度Ｓで読み取られたデジタルビデオ信号に対応した画面上の位置に上記デジタルビデオ信号を割り付けて画像表示することを特徴とする。
【００１８】
【作用】
本発明に係るデジタルビデオ信号の再生方法では、変速再生時は、ヘッド数をｎ、１又は２である定数をａ、１フレームデータに記録されたトラック数をｔ、０以外の整数である定数をｍとして、
Ｓ＝ａ（ｔ・ｍ±１）／ｎ
なる変速再生速度Ｓに設定する。そして、上記変速再生速度Ｓで、傾斜アジマス記録方式によりデジタルビデオ信号が記録された記録媒体を変速再生する。
【００１９】
また、本発明に係るデジタルビデオ信号の再生方法では、上記変速再生速度Ｓで読み取られたデジタルビデオ信号に対応した画面上の位置に上記デジタルビデオ信号を割り付けて画像表示する。
【００２０】
本発明に係るデジタルビデオ信号の再生装置では、駆動制御手段は、変速再生時に、１フレームデータのデジタルビデオ信号がトラック数ｔで傾斜アジマス記録方式により記録された記録媒体を、ヘッド数ｎの回転ヘッドにより、１又は２である定数をａ、０以外の整数である定数をｍとして、Ｓ＝ａ（ｔ・ｍ±１）／ｎなる変速再生速度Ｓに設定して変速再生する。画面表示処理手段は、上記駆動制御手段により上記変速再生速度Ｓで読み取られた上記デジタルビデオ信号に基いた画像を画面に表示する。
【００２１】
また、本発明に係るデジタルビデオ信号の再生装置では、上記画面表示処理手段は、上記変速再生速度Ｓで読み取られたデジタルビデオ信号に対応した画面上の位置に上記デジタルビデオ信号を割り付けて画像表示する。
【００２２】
【実施例】
以下、本発明の一実施例について図面を参照しながら説明する。
【００２３】
まず、本発明の第１の実施例に係るデジタルビデオ信号の再生方法について説明する。
【００２４】
上記デジタルビデオ信号の再生方法は、例えば、図１に示すような構成のデジタルビデオ信号の再生装置を備えるデジタルビデオテープレコーダ（以下、デジタルＶＴＲと言う。）により実施される。
【００２５】
即ち、上記再生装置は、ダブルアジマスヘッド２ペアを使用した回転ヘッド１と、再生アンプ２と、磁気テープ（以下、ビデオテープと言う。）３に記録されている符号化データに復号化処理等を施す信号処理部４と、通常再生モード、或は、変速再生モード等が設定される入力部５と、上記入力部５により設定されたモードに応じてデジタルＶＴＲ全体を制御するシステムコントロール部６と、上記システムコントロール部６の制御により変速再生モード時にはテープ速度をヘッド構成に応じた最適倍速数で上記ビデオテープ３を走行させる駆動制御手段７と、上記最適倍速数で上記ビデオテープ３から読み取られたデータに対応した画面上の位置に上記データを割り付けて画像表示する画面表示処理手段８とを備えている。
【００２６】
上記回転ヘッド１は、図２に示すような、ＡアジマスのヘッドＨＡ１とＢアジマスのヘッドＨＢ１から成るダブルアジマスヘッド（以下、第１ヘッドと言う。）と、ＡアジマスのヘッドＨＡ２とＢアジマスのヘッドＨＢ２から成るダブルアジマスヘッド（以下、第２ヘッドと言う。）が１８０°対向して配置されたダブルアジマスヘッド２ペアを用いている。また、上記回転ヘッド１は、同一ヘッドで連続するデータが拾えるものである。
【００２７】
上記ビデオテープ３には、傾斜アジマス記録方式によりデジタルビデオ信号が記録されている。
【００２８】
具体的に説明すると、例えば、上記デジタルＶＴＲの記録系には、図３に示すようなエンコーダを備えており、上記記録系によりデジタルビデオ信号が傾斜アジマス方式で上記ビデオテープ３に記録される。
【００２９】
即ち、上記エンコーダは、マクロブロック化されたデータに離散余弦変換（以下、ＤＣＴ：Ｄｉｓｃｒｅｔｅ  Ｃｏｓｉｎｅ  Ｔｒａｎｓｆｏｒｍ  変換と言う。）を施す変換処理部１０と、画像メモリ１１と、アクティビティクラスを検出するアクティビティ検出部１２と、５マクロブロックにつき１つの量子化器を選択して量子化を行う量子化処理部１３と、量子化出力に対して可変長符号化処理を施す可変長符号化部１４とを備えている。
【００３０】
上記変換処理部１０は、８×８画素のマクロブロックに分割する分割処理部１０１と、５つのマクロブロックに対してシャフリングを行うシャフリング処理部１０２と、ＤＣＴ変換処理を行うＤＣＴ変換部１０３と、マクロブロック毎の動き検出を行う動き検出部１０４とで構成されている。
【００３１】
上記量子化処理部１３は、符号化要素等の情報テーブルであるハフマンテーブル１３１と、量子化処理後のデータ量を分析する分析処理部１３２と、量子化器を選択する選択処理部１２３と、選択された量子化器で量子化を行う量子化部１２４とで構成されている。
【００３２】
上述のような構成をしたエンコーダには、デジタル信号に変換されたビデオ信号が入力される。
【００３３】
分割処理部１０１は、入力されたビデオ信号を８画素×８画素のマクロブロックに分割して、各マクロブロックをシャフリング処理部１０２に供給する。
【００３４】
上記シャフリング処理部１０２は、上記分割処理部１０１により分割されたマクロブロックのうち画面上で離れた位置のものを５つ集めて１つのビデオセグメントとしてＤＣＴ変換部１０３、及び、動き検出部１０４に供給する。
【００３５】
上記動き検出部１０４は、上記シャフリング処理部１０２からのビデオセグメントについての動きを検出し、８画素×８画素のフレーム内モード、或は、４画素×８画素×２のフィールド間モードとするかの検出情報を上記ＤＣＴ変換部１０３に供給すると共にサイド情報として、例えば、上記図１に示した、再生装置に出力する。
【００３６】
上記ＤＣＴ変換部１０３は、上記シャフリング処理部１０２により画面上シャフリングされた５マクロブロック単位で、ブロックサイズ８×８の２次元ＤＣＴを行う。この時、上記モード判別部１０４からの検出情報に応じて、８画素×８画素におけるフレーム内画素値、或は、４画素×８画素×２におけるフィールド間予測誤差値を選択して切り換えて２次元ＤＣＴを行う。そして、上記ＤＣＴ変換部１０３は、直流（以下、ＤＣ：Ｄｉｒｅｃｔ  Ｃｕｒｒｅｎｔと言う。）成分を、例えば、ＤＣ成分に単純な直線量子化処理を施す図示していないＤＣ成分量子化処理部に供給し、また、交流（以下、ＡＣ：Ａｌｔｅｒｎａｔｉｎｇ  Ｃｕｒｒｅｎｔと言う。）成分を画像メモリ１１とアクティビティ検出部１２に供給する。
【００３７】
上記画像メモリ１１は、上記ＤＣＴ変換部１０３から供給されたＡＣ成分を一時的に蓄える。
【００３８】
上記アクティビティ検出部１２は、上記ＤＣＴ変換部１０３からのＡＣ成分の最大値を検出し、その最大値に応じてクラス分けを行う。そして、そのクラス分け情報を分析処理部１２２に供給すると共に、サイド情報として、例えば、上記図１に示した、再生装置に出力する。
【００３９】
また、上記画像メモリ１１に蓄えられていたＡＣ成分は、量子化部１３４に出力される。
【００４０】
上記分析処理部１３２は、上記アクティビティ検出部１２からのクラス分け情報に応じたハフマンテーブル１３１の符号化要素等の情報テーブルを用いて、量子化処理後のデータ量を評価する。そして、その評価結果をから分析情報を抽出して選択処理部１３３に出力する。
【００４１】
上記選択処理部１３３は、上記分析処理部１３２からの評価結果に応じて量子化器を選択し、その選択した量子化器の番号を量子化部１３４に出力すると共に、サイド情報として、例えば、上記図１に示した、再生装置に出力する。
【００４２】
上記量子化部１３４は、上記選択処理部１３３により選択された量子化器で上記画像メモリ１１からのＡＣ成分に量子化を行う。そして、その量子化を行ったＡＣ成分を可変長符号化部１４に出力する。
【００４３】
上記可変長符号化部１４は、上記量子化部１３４により量子化されたＡＣ成分に対して可変長符号化処理を施し、その可変長符号化処理を施したＡＣ成分を出力する。
【００４４】
上述のようにして、量子化され可変長符号化処理が施されたＡＣ成分、及び、ＤＣ成分は、図示していないデシャフリング処理部でデシャフリングされ、図４に示すように、マクロブロックが画面上で連続となるような順番に並び換えて上記図１に示したビデオテープ３上の定められた位置に記録される。
即ち、画面上シャフリングされた５マクロブロックを単位として処理した後で、上記ビデオテープ３上に記録する際にデシャフリングして記録するため、図５に示すように、上記図４に示したビデオテープ３上のデータＡ，Ｂ，Ｃ，・・・，Ｓ，Ｔと、画面上のデータＡ，Ｂ，Ｃ，・・・，Ｓ，Ｔは容易に対応が取れるものとなる。従って、例えば、１フレームのデータを２０トラックに記録する場合、記録された２０トラック分のデータは、画面上の縦２０分割された各々の部分に対応したものとなる。
【００４５】
上述のようなエンコーダを備える記録系から出力される動き検出情報、アクティビティ検出情報、及び、量子化器の番号は、例えば、上記図１に示した、システムコントロール部６を介して信号処理部４に供給される。
【００４６】
上記信号処理部４は、上記記録系によりビデオテープ３に記録された符号化データ、即ち、可変長符号に、上記記録系からの動き検出情報、アクティビティ検出情報、及び、量子化器の番号に応じた復号処理、逆ＤＣＴ変換等を行うことにより、圧縮されて記録されていたビデオ信号を元のベースバンドビデオ信号に伸長する。
【００４７】
上記入力部５は、通常再生モードであるか、或は、変速再生モードであるかを設定するものであり、設定されたモードをモード設定信号として出力する。
【００４８】
上記システムコントロール部６は、上記入力部５により設定されたモードに応じて動作するように、このシステム全体を制御する。
【００４９】
例えば、変速再生モード時には、上記駆動制御手段７において、自動トラッキング制御（ＡＴＦ：Ａｕｔｏｍａｔｉｃ  Ｔｒａｃ  Ｆｉｎｄｉｎｇ）等のトラッキング信号を利用して、ビデオテープ３の速度制御に位相情報が加えられるように制御する。これにより、回転ヘッド１のトレースとビデオテープ３上のトラックの位置関係が常に同じに保たれる。
【００５０】
上記駆動制御手段７は、上記システムコントロール部６の制御によりモードに応じたビデオテープ３の速度を設定する速度設定部７１と、上記速度設定部７１により設定された速度で上記ビデオテープ３を走行させると共に回転ヘッド１を駆動する駆動部７２とで構成されている。
【００５１】
上記速度設定部７１は、変速再生時には、上記回転ヘッド１のヘッド数に応じてビデオテープ３の最適倍速数（以下、変速再生速度Ｓと言う。）を設定するものである。
【００５２】
即ち、ヘッド数をｎ、１又は２である定数をａ、１フレームデータに記録されたトラック数をｔ、０以外の整数である定数をｍとして、
Ｓ＝ａ（ｔ・ｍ±１）／ｎ  ・・・  式１
なる変速再生速度Ｓに設定する。
【００５３】
本実施例においては、上記回転ヘッド１はヘッド数ｎ＝４、また、トラック数ｔ＝２０である。従って、変速再生速度Ｓは、
0003579926.tif 000002
となる。
【００５４】
尚、上記式１の“±”について、“＋”は常方向、“−”は逆方向に対応している。
【００５５】
ここで、例えば、上記式２において、常方向で定数ａ＝１，ｍ＝１とした場合、即ち、変速再生速度Ｓ＝５．２５とした場合、駆動部７２は上記速度設定部７１で設定された変速再生速度Ｓ＝５．２５でビデオテープ３を走行させる。
【００５６】
この時の回転ヘッド１のトレースにより拾われるデータについて具体的に説明する。
【００５７】
例えば、図６に示すように、上記回転ヘッド１の第１ヘッドのトレース１−０〜１−５については、第１フレームＦ１のトレース１−０とトレース１−１より、上記第１フレームＦ１のトラックＡ１のａ１領域のデータ、トラックＢ１のａ２領域のデータ、トラックＡ２のａ３領域のデータ、トラックＢ２のａ４領域のデータ、トラックＡ３のａ５領域のデータ、トラックＢ３のａ６領域のデータが拾われる。
【００５８】
また、第２フレームＦ２のトレース１−２とトレース１−３より、上記第２フレームＦ２のトラックＡ２のｂ１領域のデータ、トラックＢ２のｂ２領域のデータ、トラックＡ３のｂ３領域のデータ、トラックＢ３のｂ４領域のデータが拾われる。
【００５９】
また、第３フレームＦ３のトレース１−４とトレース１−５より、上記第３フレームＦ３のトラックＡ２のｃ１領域のデータ、トラックＢ２のｃ２領域のデータ、トラックＡ３のｃ３領域のデータ、トラックＢ３のｃ４領域のデータ、トラックＡ４のｃ５領域のデータ、トラックＢ４のｃ６領域のデータが拾われる。
【００６０】
上述のようにして各トレースにより拾われた各フレームのデータは連続したものとなる。例えば、トレース１−２により拾われた第２フレームＦ２のｂ１領域のデータは、トレース１−０により拾われた第１フレームＦ１のａ３領域のデータに連続し、また、トレース１−４により拾われた第３フレームＦ３のｃ１領域のデータは、上記ｂ１領域のデータに連続する。
【００６１】
また、上記回転ヘッド１の第２ヘッドのトレース２−０〜２−５についても、上記第１ヘッドのトレースの場合と同様に拾われたデータは連続したものとなる。
【００６２】
このようにして各フレームから拾われたデータは、上述した信号処理部４を介して画面表示処理手段８に供給される。
【００６３】
上記画面表示処理手段８は、上記駆動制御手段７によりビデオテープ３から拾われたデータに対応した画面上の位置に、上記データを割り付けて画像表示する。
【００６４】
例えば、図７に示すように、上記ｃ１領域のデータに対応する位置に配置された領域である画面領域３に、上記ｃ１領域のデータを画像表示する。また、上記ｂ１領域のデータに対応する位置に配置された領域である画面領域２に、上記ｂ１領域のデータを画像表示する。また、上記ａ３領域のデータに対応する位置に配置された領域である画面領域１に、上記ａ３領域のデータを画像表示する。
【００６５】
従って、第１フレームＦ１から拾われたデータから成る画面領域１と、第２フレームＦ２から拾われたデータから成る画面領域２、及び、第３フレームＦ３から拾われたデータから成る画面領域３は連続したものとなる。
【００６６】
上述のようにして、上記第１，第２，第３フレームＦ１，Ｆ２，Ｆ３をトータルで２０トレースし１フレーム分のデータを得て、更に、次の２０トレースで１フレーム分のデータを得ると、上記画面表示処理手段８の表示処理により、図８に示すように、例えば、第８フレームから拾われたデータから成る画面領域８、第９フレームから拾われたデータから成る画面領域９、第１０フレームから拾われたデータから成る画面領域１０、・・・のように連続したものとなる。即ち、隣接するマクロブロックが時間的に近いフレームのデータから構成される。
【００６７】
上記図１に示した構成のデジタルビデオ信号の再生系を備えるデジタルＶＴＲの動作を説明する。
【００６８】
入力部５にて、通常再生、或は、変速再生モードを設定する。上記入力部５は、設定されたモード設定信号をシステムコントロール部６に供給する。
【００６９】
上記システムコントロール部６は、上記入力部５からのモード設定信号に応じて信号処理部４、駆動制御手段７、画面表示処理手段８等のシステム全体の動作制御を行う。
【００７０】
上記駆動制御手段７の速度設定部７１は、上記システムコントロール部６の制御により、変速再生モード時には、駆動部７２におけるビデオテープ３の走行速度を、ヘッド数をｎ、１又は２である定数をａ、１フレームデータに記録されたトラック数をｔ、０以外の整数である定数をｍとして、
Ｓ＝ａ（ｔ・ｍ±１）／ｎ
なる変速再生速度Ｓに設定する。
【００７１】
上記駆動部７２は、上記速度設定部７１により設定された変速再生速度Ｓでビデオテープ３を走行させる。
【００７２】
上記ビデオテープ３に記録されている符号化データは、回転ヘッド１により読み取られ、その読み取られたデータは再生アンプ２を介して信号処理部４に供給される。
【００７３】
上記信号処理部４は、上述したデジタルＶＴＲの記録系の変調方式に対応する復調方式で上記回転ヘッド１により読み取られたデータを復調し、その復調したデータを画面表示処理手段８に供給する。
【００７４】
上記画面表示処理手段８は、上記信号処理部４により復調されたデータに応じた画面上の位置に上記データを割り付けて画像表示する。
【００７５】
上述のようにして、隣接するマクロブロックが時間的に近いフレームのデータから構成されるように、変速再生時には、この速度設定部７１においてビデオテープ３の走行速度を上記式１で示した変速再生速度Ｓに設定するため、隣接するマクロブロックの境界線が目立たなくなり、変速再生画像を自然なものとすることができる。
【００７６】
尚、上述の実施例においては、回転ヘッド１に、上記図２に示したダブルアジマスヘッド２ペアを用いたが、図９に示すような、ＡアジマスのヘッドＨＡ３とＨＡ４が１８０°対向して配置され、また、ＢアジマスのヘッドＨＢ３とＨＢ４が１８０°対向して配置された１８０°対向ヘッド２ペアを用いてもよい。
【００７７】
また、上記回転ヘッド１は、同一ヘッドで連続するデータが拾えるものとしたが、対向ヘッドで連続するデータが拾えるものとしてもよい。
【００７８】
この場合を具体的に説明すると、上記式２において、常方向で、定数ａ＝２，ｍ＝１とした場合、即ち、変速再生速度Ｓ＝１０．５とした場合、駆動部７２は上記速度設定部７１で設定された変速再生速度Ｓ＝１０．５でビデオテープ３を走行させる。
【００７９】
これにより、図１０に示すように、上記回転ヘッド１の第１ヘッドのトレース１−０〜１−３については、第１フレームＦ１のトレース１−０とトレース１−１により、トラックＡ１のｄ１領域のデータ、トラックＢ１のｄ２領域のデータ、トラックＡ２のｄ３領域のデータ、トラックＢ２のｄ４領域のデータ、トラックＡ３のｄ５領域のデータ、トラックＢ３のｄ６領域のデータ、トラックＡ４のｄ７領域のデータ、トラックＢ４のｄ８領域のデータ、トラックＡ５のｄ９領域のデータ、トラックＢ５のｄ１０領域のデータが拾われる。また、第３フレームＦ３のトレース１−２とトレース１−３についても同様にして、ｆ１〜ｆ１０領域のデータが拾われる。
【００８０】
また、上記回転ヘッド１の第２ヘッドのトレース２−０〜２−１についても同様にして、ｅ１〜ｅ１０領域のデータが拾われる。
【００８１】
この場合も上記図６に示した、同一ヘッドで連続するデータが拾える場合と同様にして、トレース２−０により拾われた第２フレームＦ２のｅ３領域のデータは、トレース１−０により拾われた第１フレームＦ１のｄ５領域のデータに連続し、また、トレース１−２により拾われた第３フレームＦ３のｆ３領域のデータは、上記ｅ３領域のデータに連続する。
【００８２】
そして、上記画面表示処理手段８の表示処理により、例えば、図１１に示すように、上記ｆ３領域のデータは、上記ｆ３領域のデータに対応した位置に配置された領域である画面領域３に画像表示される。また、上記ｅ３領域のデータは、上記ｅ３領域のデータに対応した位置に配置された領域である画面領域２に画像表示され、上記ｄ５領域のデータは、上記ｄ５領域のデータに対応した位置に配置された領域である画面領域２に画像表示される。このように、上記拾われたデータに対応した画面上の位置に上記データを割り付けて画像表示される。
【００８３】
従って、この場合も、第１フレームＦ１から拾われたデータから成る画面領域１と、第２フレームＦ２から拾われたデータから成る画面領域２、及び、第３フレームＦ３から拾われたデータから成る画面領域３は連続したものとなる。
【００８４】
上述のようにして、上記第１，第２，第３フレームＦ１，Ｆ２，Ｆ３をトータルで２０トレースし１フレーム分のデータを得て、更に、次の２０トレースで１フレーム分のデータを得ると、上記画面表示処理手段８の表示処理により、図１２に示すように、例えば、第２０フレームから拾われたデータから成る画面領域２０、第１９フレームから拾われたデータから成る画面領域１９、第１８フレームから拾われたデータから成る画面領域１８、・・・のように連続したものとなる。即ち、隣接するマクロブロックが時間的に近いフレームのデータから構成される。
【００８５】
次に、本発明の第２の実施例に係るデジタルビデオ信号の再生方法について説明する。
【００８６】
上述した第１の実施例に係るデジタルビデオ信号の再生方法では、上記図１に示した構成のデジタルビデオ信号の再生系を備えるデジタルＶＴＲにおいて、回転ヘッド１にヘッド数が４個であるダブルアジマスヘッド２ペア等を用いた上記デジタルＶＴＲで実施されたが、この第２の実施例に係るデジタルビデオ信号の再生方法では、上記回転ヘッド１のヘッド数が８個であるダブルアジマスヘッド４ペア等を用いた上記デジタルＶＴＲで実施される。
【００８７】
尚、上述の第１の実施例と同じ動作を示す箇所には同一の符号を付し、その詳細な説明を省略する。
【００８８】
上記回転ヘッド１は、例えば、図１３に示すような、ＡアジマスのヘッドＨＡ５とＢアジマスのヘッドＨＢ５から成るダブルアジマスヘッド（以下、第１ヘッドと言う。）と、ＡアジマスのヘッドＨＡ６とＢアジマスのヘッドＨＢ６から成るダブルアジマスヘッド（以下、第２ヘッドと言う。）が１８０°対向して配置され、また、ＡアジマスのヘッドＨＡ７とＢアジマスのヘッドＨＢ７から成るダブルアジマスヘッド（以下、第３ヘッドと言う。）と、ＡアジマスのヘッドＨＡ８とＢアジマスのヘッドＨＢ８から成るダブルアジマスヘッド（以下、第４ヘッドと言う。）が１８０°対向して配置されたダブルアジマスヘッド４ペアを用いている。
【００８９】
この場合、上記図１に示した速度設定部７１においては、ビデオテープ３の走行速度を、
0003579926.tif 000003
なる変速再生速度Ｓに設定する。
【００９０】
ここで、上記回転ヘッド１は、同一ヘッドで連続データが拾えるものとし、常方向で定数ａ＝１，ｍ＝１とした場合、即ち、変速再生速度Ｓ＝２．６２５とした場合、駆動部７２は上記速度設定部７１で設定された変速再生速度Ｓ＝２．６２５でビデオテープ３を走行させる。
【００９１】
これにより、図１４に示すように、上記回転ヘッド１の第１ヘッドのトレース１−０〜１−５については、第１フレームＦ１のトレース１−０とトレース１−１より、上記第１フレームＦ１のトラックＡ１のｇ１領域のデータ、トラックＢ１のｇ２領域のデータ、トラックＡ２のｇ３領域のデータ、トラックＢ２のｇ４領域のデータが拾われる。
【００９２】
また、第２フレームＦ２のトレース１−２とトレース１−３より、上記第２フレームＦ２のトラックＡ２のｈ１領域のデータ、トラックＢ２のｈ２領域のデータが拾われる。
【００９３】
また、第３フレームＦ３のトレース１−４とトレース１−５より、上記第３フレームＦ３のトラックＡ２のｉ１領域のデータ、トラックＢ２のｉ２領域のデータ、トラックＡ３のｉ３領域のデータ、トラックＢ３のｉ４領域のデータが拾われる。
【００９４】
上述のようにして、トレース１−２により拾われた第２フレームＦ２のｈ１領域のデータは、トレース１−０により拾われた第１フレームＦ１のｇ３領域のデータに連続し、また、トレース１−４により拾われた第３フレームＦ３のｉ１領域のデータは、上記ｈ１領域のデータに連続する。
【００９５】
第２〜第４ヘッドのトレースについても上記第１ヘッドのトレースと同様に、拾われたデータは連続したものとなる。
【００９６】
このようにして各フレームから拾われたデータは、上述した信号処理部４を介して画面表示処理手段８に供給される。
【００９７】
上記画面表示処理手段８は、上記駆動制御手段７によりビデオテープ３から拾われたデータに対応した画面上の位置に、上記データを割り付けて画像表示する。
【００９８】
例えば、図１５に示すように、上記ｉ１領域のデータに対応する位置に配置された領域である画面領域３に上記ｉ１領域のデータを画像表示する。また、上記ｈ１領域のデータに対応する位置に配置された領域である画面領域２に上記ｈ１領域のデータを画像表示する。また、上記ｇ３領域のデータに対応する位置に配置された領域である画面領域１に上記ｇ３領域のデータを画像表示する。
【００９９】
従って、第１フレームＦ１から拾われたデータから成る画面領域１と、第２フレームＦ２から拾われたデータから成る画面領域２、及び、第３フレームＦ３から拾われたデータから成る画面領域３は連続したものとなる。
【０１００】
上述のようにして、上記第１，第２，第３フレームＦ１，Ｆ２，Ｆ３をトータルで２０トレースし１フレーム分のデータを得て、更に、次の２０トレースで１フレーム分のデータを得ると、上記画面表示処理手段８の表示処理により、図１６に示すように、例えば、第６フレームから拾われたデータから成る画面領域６、第５フレームから拾われたデータから成る画面領域５、第４フレームから拾われたデータから成る画面領域４、・・・のように連続したものとなる。即ち、隣接するマクロブロックが時間的に近いフレームのデータから構成される。
【０１０１】
従って、上述した第１の実施例の場合と同様にして、隣接するマクロブロックが時間的に近いフレームのデータから構成されるように、変速再生時には、上記速度設定部７１においてビデオテープ３の走行速度を上記式１で示した変速再生速度Ｓに設定するため、隣接するマクロブロックの境界線が目立たなくなり、変速再生画像を自然なものとすることができる。
【０１０２】
尚、上記回転ヘッド１は、同一ヘッドで連続データが拾えるものとしたが、対向ヘッドで連続データが拾えるものとしてもよい。
【０１０３】
具体的に説明すると、上記式３において、常方向で、定数ａ＝２，ｍ＝１とした場合、即ち、変速再生速度Ｓ＝５．２５とした場合、駆動部７２は上記速度設定部７１で設定された変速再生速度Ｓ＝５．２５でビデオテープ３を走行させる。
【０１０４】
これにより、図１７に示すように、第１ヘッドのトレース１−０〜１−３については、第１フレームＦ１のトレース１−０とトレース１−１により、トラックＡ１のｊ１領域のデータ、トラックＢ１のｊ２領域のデータ、トラックＡ２のｊ３領域のデータ、トラックＢ２のｊ４領域のデータ、トラックＡ３のｊ５領域のデータ、トラックＢ３のｊ６領域のデータが拾われる。また、第３フレームＦ３のトレース１−２とトレース１−３についても同様にして、ｌ１〜ｌ６領域のデータが拾われる。  また、第３ヘッドのトレース３−０〜３−１についても、第２フレームＦ２のトレース３−０とトレース３−１によりｋ１〜ｋ４領域のデータが拾われる。
【０１０５】
第２ヘッドのトレース２−０〜２−３、及び、第４ヘッドのトレース４−０〜４−１についても同様にしてデータが拾われる。
【０１０６】
この場合も上記図１４に示した、同一ヘッドで連続するデータが拾える場合と同様にして、トレース３−０により拾われた第２フレームＦ２のｋ１領域のデータは、トレース１−０により拾われた第１フレームＦ１のｊ３領域のデータに連続し、また、トレース１−２により拾われた第３フレームＦ３のｌ１領域のデータは、上記ｋ１領域のデータに連続する。
【０１０７】
そして、上記画面表示処理手段８の表示処理により、例えば、図１８に示すように、上記ｌ１領域のデータを上記ｌ１領域のデータに対応した位置に配置された領域である画面領域３に画像表示し、上記ｋ１領域のデータを上記ｋ１領域のデータに対応した位置に配置された領域である画面領域２に画像表示する。また、上記ｊ３領域のデータを上記ｊ３領域のデータに対応した位置に配置された領域である画面領域１に画像表示する。このようにして、上記拾われたデータに対応した画面上の位置に上記データを割り付けて画像表示される。
【０１０８】
従って、この場合も、第１フレームＦ１から拾われたデータから成る画面領域１と、第２フレームＦ２から拾われたデータから成る画面領域２、及び、第３フレームＦ３から拾われたデータから成る画面領域３は連続したものとなる。
【０１０９】
上述のようにして、上記第１，第２，第３フレームＦ１，Ｆ２，Ｆ３をトータルで２０トレースし１フレーム分のデータを得て、更に、次の２０トレースで１フレーム分のデータを得ると、上記画面表示処理手段８の表示処理により、図１９に示すように、例えば、第２０フレームから拾われたデータから成る画面領域２０、第１９フレームから拾われたデータから成る画面領域１９、第１８フレームから拾われたデータから成る画面領域１８、・・・のように連続したものとなる。即ち、隣接するマクロブロックが時間的に近いフレームのデータから構成される。
【０１１０】
【発明の効果】
本発明に係るデジタルビデオ信号の再生方法では、変速再生時は、ヘッド数をｎ、１又は２である定数をａ、１フレームデータが記録されたトラック数をｔ、０以外の整数である定数をｍとして、Ｓ＝ａ（ｔ・ｍ±１）／ｎなる変速再生速度Ｓに設定する。そして、デジタルビデオ信号が所定画素のブロック単位に分割されて量子化され傾斜アジマス記録方式により記録された記録媒体を上記変速再生速度Ｓで変速再生する。これにより、隣接するマクロブロックの時間的な差による不連続線を目立たせなくすることができるため変速再生画質の向上を図ることができる。
【０１１１】
また、本発明に係るデジタルビデオ信号の再生方法では、上記変速再生速度Ｓで読み取られたデジタルビデオ信号に対応した画面上の位置に上記デジタルビデオ信号を割り付けて画像表示する。これにより、隣接するマクロブロックの時間的な差による不連続線を目立たせなくすることができるため変速再生画質の向上を図ることができる。
【０１１２】
本発明に係るデジタルビデオ信号の再生装置では、駆動制御手段は、変速再生時に、１フレームデータのデジタルビデオ信号が所定画素のブロック単位に分割されて量子化されトラック数ｔで傾斜アジマス記録方式により記録された記録媒体を、ヘッド数ｎの回転ヘッドにより、１又は２である定数をａ、０以外の整数である定数をｍとして、Ｓ＝ａ（ｔ・ｍ±１）／ｎなる変速再生速度Ｓに設定して変速再生する。画面表示処理手段は、上記駆動制御手段により上記変速再生速度Ｓで読み取られた上記デジタルビデオ信号に基いた画像を画面に表示する。これにより、隣接するマクロブロックの時間的な差による不連続線を目立たせなくすることができるため変速再生画質の向上を図ることができる。
【０１１３】
また、本発明に係るデジタルビデオ信号の再生装置では、上記画面表示処理手段は、上記変速再生速度Ｓで読み取られたデジタルビデオ信号に対応した画面上の位置に上記デジタルビデオ信号を割り付けて画像表示する。これにより、隣接するマクロブロックの時間的な差による不連続線を目立たせなくすることができるため変速再生画質の向上を図ることができる。
【図面の簡単な説明】
【図１】本発明の第１の実施例に係るデジタルビデオ信号の再生方法を実施するためのデジタルビデオ信号の再生装置の構成を示すブロック図である。
【図２】上記デジタルＶＴＲの回転ヘッドに用いたダブルアジマスヘッド２ペアの構成を示す図である。
【図３】上記デジタルＶＴＲの記録系のエンコーダの構成を示す図である。
【図４】上記記録系によりビデオテープ上に記録されるデータ位置を示す図である。
【図５】上記ビデオテープ上に記録されたデータに対する画面上のデータ位置の関係を示す図である。
【図６】上記回転ヘッドは同一ヘッドで連続するデータが拾える場合において、変速再生速度を５．２５とした時のヘッドトレースを説明するための図である。
【図７】上記回転ヘッドは同一ヘッドで連続するデータが拾える場合において、変速再生速度を５．２５とした時の最初の２０トレースで拾われるデータを説明するための図である。
【図８】上記回転ヘッドは同一ヘッドで連続するデータが拾える場合において、変速再生速度を５．２５とした時の更に次の２０トレースで拾われるデータを説明するための図である。
【図９】１８０°対向ヘッド２ペアの構成を示す図である。
【図１０】上記回転ヘッドは対向ヘッドで連続するデータが拾える場合において、変速再生速度を１０．５とした時のヘッドトレースを説明するための図である。
【図１１】上記回転ヘッドは対向ヘッドで連続するデータが拾える場合において、変速再生速度を１０．５とした時の最初の２０トレースで拾われるデータを説明するための図である。
【図１２】上記回転ヘッドは対向ヘッドで連続するデータが拾える場合において、変速再生速度を１０．５とした時の更に次の２０トレースで拾われるデータを説明するための図である。
【図１３】本発明の第２の実施例に係るデジタルビデオ信号の再生方法を実施するためのデジタルＶＴＲの再生系の回転ヘッドに用いたダブルアジマスヘッド４ペアの構成を示す図である。
【図１４】上記回転ヘッドは同一ヘッドで連続するデータが拾える場合において、変速再生速度を２．６２５とした時のヘッドトレースを説明するための図である。
【図１５】上記回転ヘッドは同一ヘッドで連続するデータが拾える場合において、変速再生速度を２．６２５とした時の最初の２０トレースで拾われるデータを説明するための図である。
【図１６】上記回転ヘッドは同一ヘッドで連続するデータが拾える場合において、変速再生速度を２．６２５とした時の更に次の２０トレースで拾われるデータを説明するための図である。
【図１７】上記回転ヘッドは対向ヘッドで連続するデータが拾える場合において、変速再生速度を５．２５とした時のヘッドトレースを説明するための図である。
【図１８】上記回転ヘッドは対向ヘッドで連続するデータが拾える場合において、変速再生速度を５．２５とした時の最初の２０トレースで拾われるデータを説明するための図である。
【図１９】上記回転ヘッドは対向ヘッドで連続するデータが拾える場合において、変速再生速度を５．２５とした時の更に次の２０トレースで拾われるデータを説明するための図である。
【図２０】従来のデジタルビデオ信号の再生方法において、変速再生時のビデオテープ上のヘッドトレース、及び、拾われるデータを説明するための図である。
【図２１】上記デジタルビデオ信号の再生方法により、変速再生時に拾われたデータの画面上の位置を説明するための図である。
【符号の説明】
１    回転ヘッド
２    再生アンプ
３    ビデオテープ
４    信号処理部
５    入力部
６    システムコントロール部
７    駆動制御手段
８    画面表示処理手段
７１  速度設定部
７２  駆動部
【図１】
0003579926.tif 000004
【図２】
0003579926.tif 000005
【図３】
0003579926.tif 000006
【図４】
0003579926.tif 000007
【図５】
0003579926.tif 000008
【図６】
0003579926.tif 000009
【図７】
0003579926.tif 000010
【図８】
0003579926.tif 000011
【図９】
0003579926.tif 000012
【図１０】
0003579926.tif 000013
【図１１】
0003579926.tif 000014
【図１２】
0003579926.tif 000015
【図１３】
0003579926.tif 000016
【図１４】
0003579926.tif 000017
【図１５】
0003579926.tif 000018
【図１６】
0003579926.tif 000019
【図１７】
0003579926.tif 000020
【図１８】
0003579926.tif 000021
【図１９】
0003579926.tif 000022
【図２０】
0003579926.tif 000023
【図２１】
0003579926.tif 000024